【手続補正書】
【提出日】平成25年6月21日(2013.6.21)
【手続補正１】
【補正対象書類名】明細書
【補正対象項目名】発明の名称
【補正方法】変更
【補正の内容】
【発明の名称】画像処理装置、画像処理方法及びプログラム
【手続補正２】
【補正対象書類名】明細書
【補正対象項目名】０００１
【補正方法】変更
【補正の内容】
【０００１】
本発明は、画像処理に用いられる画像処理装置、画像処理方法及びプログラムに関する。
【手続補正３】
【補正対象書類名】明細書
【補正対象項目名】０００７
【補正方法】変更
【補正の内容】
【０００７】
本発明に係る画像処理装置は、画像の色を示し、複数の色要素の信号から構成される色信号の入力値に応じた出力値の複数の成分の値を決定するための補正パラメータにより決定される前記出力値に基づいて、異なる複数色のインクを吐出するための複数のノズルそれぞれから、記録媒体に前記複数色のインクを吐出することにより画像を記録するための画像処理装置であって、前記補正パラメータを決定するための補正パラメータ決定用画像として、前記複数の色要素の信号の値がともに前記複数の色要素の信号それぞれが取り得る値のうち最大値、最小値のいずれでもない前記入力値のうちの少なくとも一部の入力値を記録させずに、複数の色要素の信号のうちの１つの要素を除いた要素の信号の値がそれぞれ前記最大値を取り、前記１つの要素の信号の値が前記最大値と前記最小値との間の異なる複数の値を取る前記入力値であって、前記複数の色要素それぞれが前記１つの要素となる場合それぞれの前記入力値に基づく複数の画像と、複数の色要素の信号のうちの１つの要素を除いた要素の信号の値がそれぞれ前記最小値を取り、前記１つの要素の信号の値が前記最大値と前記最小値との間の異なる複数の値を取る前記入力値であって、前記複数の色要素それぞれが前記１つの要素となる場合それぞれの前記入力値に基づく複数の画像と、複数の色要素の信号のうちの１つの要素の信号の値が最大値であり、１つの要素の信号の値が最小値であり、他の要素の信号の値が前記最大値と前記最小値との間の異なる複数の値を取る前記入力値であって、前記複数の色要素それぞれが前記１つの要素となる場合それぞれの前記入力値に基づく複数の画像と、を前記複数のノズルから前記複数色のインクを吐出することにより前記記録媒体に記録させる記録制御手段と、前記記録制御手段が記録した前記補正パラメータ決定用画像に基づく色情報を取得する取得手段と、前記取得手段が取得した前記色情報に基づいて、前記補正パラメータを決定する決定手段と、を有することを特徴とする。
【手続補正４】
【補正対象書類名】特許請求の範囲
【補正対象項目名】全文
【補正方法】変更
【補正の内容】
【特許請求の範囲】
【請求項１】
画像の色を示し、複数の色要素の信号から構成される色信号の入力値に応じた出力値の複数の成分の値を決定するための補正パラメータにより決定される前記出力値に基づいて、異なる複数色のインクを吐出するための複数のノズルそれぞれから、記録媒体に前記複数色のインクを吐出することにより画像を記録するための画像処理装置であって、
前記補正パラメータを決定するための補正パラメータ決定用画像として、前記複数の色要素の信号の値がともに前記複数の色要素の信号それぞれが取り得る値のうち最大値、最小値のいずれでもない前記入力値のうちの少なくとも一部の入力値を記録させずに、複数の色要素の信号のうちの１つの要素を除いた要素の信号の値がそれぞれ前記最大値を取り、前記１つの要素の信号の値が前記最大値と前記最小値との間の異なる複数の値を取る前記入力値であって、前記複数の色要素それぞれが前記１つの要素となる場合それぞれの前記入力値に基づく複数の画像と、複数の色要素の信号のうちの１つの要素を除いた要素の信号の値がそれぞれ前記最小値を取り、前記１つの要素の信号の値が前記最大値と前記最小値との間の異なる複数の値を取る前記入力値であって、前記複数の色要素それぞれが前記１つの要素となる場合それぞれの前記入力値に基づく複数の画像と、複数の色要素の信号のうちの１つの要素の信号の値が最大値であり、１つの要素の信号の値が最小値であり、他の要素の信号の値が前記最大値と前記最小値との間の異なる複数の値を取る前記入力値であって、前記複数の色要素それぞれが前記１つの要素となる場合それぞれの前記入力値に基づく複数の画像と、を前記複数のノズルから前記複数色のインクを吐出することにより前記記録媒体に記録させる記録制御手段と、
前記記録制御手段が記録した前記補正パラメータ決定用画像に基づく色情報を取得する取得手段と、
前記取得手段が取得した前記色情報に基づいて、前記補正パラメータを決定する決定手段と、
を有することを特徴とする画像処理装置。
【請求項２】
前記記録制御手段は、前記補正パラメータ決定用画像として、さらに前記複数の色要素の信号の値が等しい複数の入力値に基づく画像を、前記記録媒体に記録させることを特徴とする請求項１に記載の画像処理装置。
【請求項３】
前記記録制御手段は、前記補正パラメータ決定用画像として、さらに、複数の色要素の信号のそれぞれの要素の信号の値が前記最小値および前記最大値のいずれかを取る前記入力値に基づく画像を、前記記録媒体に記録させることを特徴とする請求項１に記載の画像処理装置。
【請求項４】
前記異なる複数色のインクを吐出するための複数のノズルを備えた記録手段を有し、前記記録制御手段による制御により、前記記録手段が前記複数入力値それぞれに対応する前記画像を記録する請求項１から３のいずれか１項に記載の画像処理装置。
【請求項５】
前記記録制御手段は、さらに、複数の色要素の信号のそれぞれの要素の信号の値が前記最小値および前記最大値のいずれかを取る全ての前記入力値それぞれに基づく画像を、前記記録媒体に記録させることを特徴とする請求項１に記載の画像処理装置。
【請求項６】
前記記録制御手段は、前記補正パラメータ決定用画像として、前記色信号の入力値における前記複数の色要素の信号と前記出力値との対応関係を定めるテーブルにおける前記入力値の格子点に対応する複数の入力値のうちの、複数の色要素の信号のうちの１つの要素を除いた要素の信号の値がそれぞれ前記最大値を取り、前記１つの要素の信号の値が前記最大値と前記最小値との間の異なる複数の値を取る前記入力値であって、前記複数の色要素それぞれが前記１つの要素となる場合それぞれの前記入力値と、複数の色要素の信号のうちの１つの要素を除いた要素の信号の値がそれぞれ前記最小値を取り、前記１つの要素の信号の値が前記最大値と前記最小値との間の異なる複数の値を取る前記入力値であって、前記複数の色要素それぞれが前記１つの要素となる場合それぞれの前記入力値と、複数の色要素の信号のうちの１つの要素の信号の値が最大値であり、１つの要素の信号の値が最小値であり、他の要素の信号の値が前記最大値と前記最小値との間の異なる複数の値を取る前記入力値であって、前記複数の色要素それぞれが前記１つの要素となる場合それぞれの前記入力値と、のすべての入力値に基づく複数の画像を記録させることを特徴とする請求項１に記載の画像処理装置。
【請求項７】
前記記録制御手段は、前記補正パラメータ決定用画像として、前記複数の色要素の信号の値がともに前記複数の色要素の信号それぞれが取り得る値のうち最大値、最小値のいずれでもない前記入力値のうち前記複数の色要素の信号の値が等しい複数の入力値に基づく画像のみを、前記記録媒体に記録させることを特徴とする請求項１乃至６のいずれか１項に記載の画像処理装置。
【請求項８】
前記色情報は、測定手段により前記補正パラメータ決定画像が測定された測定結果であることを特徴とする請求項１から７のいずれか１項に記載の画像処理装置。
【請求項９】
前記画像処理装置は、前記測定手段を有することを特徴とする請求項８に記載の画像処理装置。
【請求項１０】
前記複数の色要素の信号はＲ、Ｇ、Ｂであることを特徴とする請求項１から９のいずれか１項に記載の画像処理装置。
【請求項１１】
前記決定手段は、前記記録制御手段により記録させられた画像に対応する入力値ではない入力値に対応する画像の前記色情報を前記取得手段が取得した色情報を用いて補間することにより、前記補正パラメータを決定することを特徴とする請求項１から１０のいずれか１項に記載の画像処理装置。
【請求項１２】
前記複数の色のインク毎に前記複数のノズルが所定の方向に配列された前記複数の色のインクそれぞれを吐出するための複数のノズル列それぞれが、前記所定の方向と交差する方向に並んで配置され、前記記録媒体と前記複数のノズル列とを前記所定の方向と交差する方法に相対的に走査することにより記録を行い、前記決定手段は、前記複数のノズル列のうち、前記記録媒体の第１の領域に記録を行うための前記複数のノズル列の各第１部のノズルに対応する第１の前記補正パラメータと、前記記録媒体の前記第１の領域と異なる第２の領域に記録を行うための前記複数のノズル列の各第２部のノズルに対応する第２の前記補正パラメータと、を決定する請求項１から１１のいずれか１項に記載の画像処理装置。
【請求項１３】
画像の色を示し、複数の色要素の信号から構成される色信号の入力値に応じた出力値の複数の成分の値を決定するための補正パラメータにより決定される前記出力値に基づいて、異なる複数色のインクを吐出するための複数のノズルそれぞれから、記録媒体に前記複数色のインクを吐出することにより画像を記録するための画像処理装置によって画像を形成する画像処理方法であって、
前記補正パラメータを決定するための補正パラメータ決定用画像として、前記複数の色要素の信号の値がともに前記複数の色要素の信号それぞれが取り得る値のうち最大値、最小値のいずれでもない前記入力値のうちの少なくとも一部の入力値を記録させずに、複数の色要素の信号のうちの１つの要素を除いた要素の信号の値がそれぞれ前記最大値を取り、前記１つの要素の信号の値が前記最大値と前記最小値との間の異なる複数の値を取る前記入力値であって、前記複数の色要素それぞれが前記１つの要素となる場合それぞれの前記入力値に基づく複数の画像と、複数の色要素の信号のうちの１つの要素を除いた要素の信号の値がそれぞれ前記最小値を取り、前記１つの要素の信号の値が前記最大値と前記最小値との間の異なる複数の値を取る前記入力値であって、前記複数の色要素それぞれが前記１つの要素となる場合それぞれの前記入力値に基づく複数の画像と、複数の色要素の信号のうちの１つの要素の信号の値が最大値であり、１つの要素の信号の値が最小値であり、他の要素の信号の値が前記最大値と前記最小値との間の異なる複数の値を取る前記入力値であって、前記複数の色要素それぞれが前記１つの要素となる場合それぞれの前記入力値に基づく複数の画像と、を前記複数のノズルから前記複数色のインクを吐出することにより前記記録媒体に記録させる記録制御工程と、
前記記録制御工程で記録した前記補正パラメータ決定用画像に基づく色情報を取得する取得工程と、
前記取得工程で取得した前記色情報に基づいて、前記補正パラメータを決定する決定工程と、
を有することを特徴とする画像処理方法。
【請求項１４】
前記複数の色のインク毎に前記複数のノズルが所定の方向に配列された前記複数の色のインクそれぞれを吐出するための複数のノズル列それぞれが、前記所定の方向と交差する方向に並んで配置され、前記記録媒体と前記複数のノズル列とを前記所定の方向と交差する方法に相対的に走査することにより記録を行い、前記決定工程は、前記複数のノズル列のうち、前記記録媒体の第１の領域に記録を行うための前記複数のノズル列の各第１部のノズルに対応する第１の前記補正パラメータと、前記記録媒体の前記第１の領域と異なる第２の領域に記録を行うための前記複数のノズル列の各第２部のノズルに対応する第２の前記補正パラメータと、を決定する請求項１３に記載の画像処理方法。
【請求項１５】
コンピューターに、請求項１３または１４に記載の画像処理方法を実行させるためのプログラム。